(57)【要約】【課題】  室内の美観を損なわず、かつ、敷設作業性にも優れるインドアケーブル等を提供する。【解決手段】  インドアケーブル１は、光ファイバ心線３、テンションメンバ７、外被１１、反射膜５等により構成される。光ファイバ心線３およびテンションメンバ７は、外被１１によって一体化される。外被１１の外周面には、反射膜５が設けられる。反射膜５は、金属蒸着樹脂フィルムや金属フィルムによって形成されてもよく、または、外被１１の外周面に直接、蒸着やめっき等により形成されてもよい。反射膜５としては、例えば、銀、アルミニウム（合金）、金、プラチナ、クロム、ステンレスなどを適用することができる。【選択図】図１
2016075783.tif 000002
【特許請求の範囲】
【請求項１】
光ファイバ心線と、
長手方向に垂直な断面において、前記光ファイバ心線の両側方に設けられるテンションメンバと、
前記テンションメンバおよび前記光ファイバ心線を覆うように設けられる外被と、
を具備し、
前記外被の外周面に反射膜が形成されることを特徴とするインドアケーブル。
【請求項２】
前記反射膜は、波長４００ｎｍ〜７００ｎｍにおける、ＪＩＳ  Ｋ７３７５で規定される全光線反射率が６０％以上であることを特徴とする請求項１記載のインドアケーブル。
【請求項３】
長手方向に垂直な断面において前記外被の外形は略矩形であり、角部のＲが、０．０１ｍｍ以上０．２ｍｍ以下であることを特徴とする請求項１または請求項２に記載のインドアケーブル。
【請求項４】
前記光ファイバ心線を挟む前記外被の対向する外周面には、幅が０．１ｍｍ以下のスリットが形成されることを特徴とする請求項１から請求項３のいずれかに記載のインドアケーブル。
【請求項５】
前記光ファイバ心線を挟む前記外被の対向する外周面から所定の深さには、低強度部が形成されることを特徴とする請求項１から請求項３のいずれかに記載のインドアケーブル。
【請求項６】
請求項１から請求項５のいずれかに記載のインドアケーブルを、壁と、床または天井との角部、または壁同士の角部に配設することを特徴とするインドアケーブルの敷設方法。
【発明の詳細な説明】
【技術分野】
【０００１】
本発明は、屋内敷設時に目立ちにくいインドアケーブル等に関するものである。
【背景技術】
【０００２】
通常、光ファイバケーブルを屋内に引き込む際には、インドアケーブルが使用される。インドアケーブルを室内の光回線終端装置に接続し、ＬＡＮケーブル等によって各光利用機器に接続される。
【０００３】
このようなインドアケーブルとしては、例えば、テンションメンバと、テンションメンバ間に設けられた光ファイバ心線と、これらを一括して包む外被とを有し、外被の外周に長手方向に沿って１箇所以上のケーブルシースノッチが設けられたインドアケーブルがある（特許文献１）。
【先行技術文献】
【特許文献】
【０００４】
【特許文献１】特開２００８−６５０３８号公報
【発明の概要】
【発明が解決しようとする課題】
【０００５】
しかし、インドアケーブルを室内に敷設すると、インドアケーブルが目立ち、室内の美観を損ねる恐れがある。これに対し、インドアケーブルから光ファイバ心線のみを取り出して敷設したのでは、取扱い性が悪く、敷設作業が困難である。
【０００６】
本発明は、このような問題に鑑みてなされたもので、室内の美観を損なわず、かつ、敷設作業性にも優れるインドアケーブル等を提供することを目的とする。
【課題を解決するための手段】
【０００７】
前述した目的を達するために第１の発明は、光ファイバ心線と、長手方向に垂直な断面において、前記光ファイバ心線の両側方に設けられるテンションメンバと、前記テンションメンバおよび前記光ファイバ心線を覆うように設けられる外被と、を具備し、前記外被の外周面に反射膜が形成されることを特徴とするインドアケーブルである。
【０００８】
前記反射膜は、波長４００ｎｍ〜７００ｎｍにおける、ＪＩＳ  Ｋ７３７５で規定される全光線反射率が６０％以上であることが望ましい。
【０００９】
長手方向に垂直な断面において前記外被の外形は略矩形であり、角部のＲが、０．０１ｍｍ以上０．２ｍｍ以下であることが望ましい。
【００１０】
前記光ファイバ心線を挟む前記外被の対向する外周面には、幅が０．１ｍｍ以下のスリットが形成されてもよい。
【００１１】
前記光ファイバ心線を挟む前記外被の対向する外周面から所定の深さには、低強度部が形成されてもよい。
【００１２】
第１の発明によれば、外被の外周面に反射膜が形成されるため、室内に配線した際に、インドアケーブルの表面に壁面等の模様や色が映りこみ、インドアケーブルが目立ちにくくなるため、美観を損ねにくい。例えば、従来のインドアケーブルは、目立ちにくいように、白色やベージュなどの単色のものが使用されているが、壁面等に色や模様がある場合には、却ってインドアケーブルが目立つ場合がある。一方、本発明は、壁面等の色や模様によらず、インドアケーブルが目立ちにくい。
【００１３】
特に、可視光領域の波長において、全光線反射率が６０％以上であれば、その効果が大きい。
【００１４】
また、略矩形の外被の角部のＲが、０．０１ｍｍ以上０．２ｍｍ以下であれば、床や壁等以外の部位の映り込みが減少し、インドアケーブルが目立ちにくい。
【００１５】
また、従来形成されているノッチに代えて、光ファイバ心線を挟む外被の対向する外周面に、幅が０．１ｍｍ以下のスリットを形成することで、床や壁等以外の部位の映り込みが減少し、インドアケーブルがさらに目立ちにくい。
【００１６】
また、ノッチやスリットを形成せずに、ファイバ心線を挟む外被の対向する外周面から所定の深さに、低強度部を形成することで、床や壁等以外の部位の映り込みが減少し、インドアケーブルがさらに目立ちにくい。
【００１７】
第２の発明は、第１の発明にかかるインドアケーブルを、壁と、床または天井との角部、または壁同士の角部に配設することを特徴とするインドアケーブルの敷設方法である。
【００１８】
第２の発明によれば、インドアケーブルが壁と床または天井との角部に配置されるため、居住者の目線において、インドアケーブルに壁、床または天井が映り込み、インドアケーブルを目立ちにくくすることができる。
【発明の効果】
【００１９】
本発明によれば、室内の美観を損なわず、かつ、敷設作業性にも優れるインドアケーブル等を提供することができる。
【図面の簡単な説明】
【００２０】
【図１】インドアケーブル１の断面図。
【図２】インドアケーブル敷設構造２０を示す概念図。
【図３】インドアケーブル敷設構造２０ａを示す概念図。
【図４】（ａ）はインドアケーブル１ａの断面図、（ｂ）はインドアケーブル１ｂの断面図。
【発明を実施するための形態】
【００２１】
以下、図面を参照しながら、本発明の実施形態について説明する。図１は、インドアケーブル１の断面図である。インドアケーブル１は、光ファイバ心線３、テンションメンバ７、外被１１、反射膜５等により構成される。
【００２２】
光ファイバ心線３は、ガラス素線および樹脂被覆部からなり、例えば０．２５ｍｍ径の従来の光ファイバ心線を適用することができる。
【００２３】
光ファイバ心線３の両側方には、光ファイバ心線３に対して離間して、一対のテンションメンバ７が設けられる。テンションメンバ７は、従来から使用されている０．５ｍｍ径の鋼線、モノフィラメント、アラミド繊維、ガラス繊維等による繊維補強プラスチックなどを用いることができる。
【００２４】
光ファイバ心線３およびテンションメンバ７は、外被１１によって一体化される。外被１１は、例えば難燃性、低摩擦性、耐候性などを付与したポリオレフィンを適用することができる。
【００２５】
光ファイバ心線３の、外被１１の上下面（テンションメンバ７の併設方向とは垂直な方向の外周面）には、互いに対向する位置にノッチ９が形成される。上下のノッチ９から、ケーブル分割工具やニッパなどによって外被１１を破断させると、内部の光ファイバ心線３を、テンションメンバ７および外被１１から分離して取り出すことができる。
【００２６】
外被１１の外周面には、反射膜５が設けられる。反射膜５は、金属蒸着樹脂フィルムや金属フィルムによって形成されてもよく、または、外被１１の外周面に直接、蒸着やめっき等により形成されてもよい。反射膜５としては、例えば、銀、アルミニウム（合金）、金、プラチナ、クロム、ステンレスなどを適用することができる。
【００２７】
反射膜５は、可視光領域（波長４００ｎｍ〜７００ｎｍ）における、ＪＩＳ  Ｋ７３７５で規定される全光線反射率が６０％以上であることが望ましい。反射率が６０％未満となると、壁等の映り込みが不鮮明となり、インドアケーブルが目立つようになる。なお、全光線反射率は、正反射と拡散反射との和で表されるが、拡散反射の割合が大きくなると、鏡面とはならないため、拡散反射率は１５％以下であることが望ましい。すなわち、反射膜５は鏡面であることが望ましい。
【００２８】
反射膜５の外周面には、必要に応じて保護膜１３が形成される。保護膜１３は、透明の樹脂材料であり、例えば、ポリエチレン化合物や、紫外線硬化樹脂などを用いることができる。保護膜１３によって、反射膜５に傷がついたり、反射膜５が剥がれたりすることを防止することができる。
【００２９】
インドアケーブル１は、断面が略矩形であることが望ましい。この場合、角部のＲ（図１）は、０．０１ｍｍ以上０．２ｍｍ以下であることが望ましい。角部のＲが大きくなると、後述するインドアケーブル１の敷設構造において、壁や床等以外の映り込みが多くなり、壁等の模様や色に隠れずに目立つ恐れがある。一方、角部のＲを０．０１ｍｍ未満とするのは、製造上困難である。したがって、インドアケーブル１の角部のＲは、０．０１ｍｍ以上０．２ｍｍ以下とすることが望ましい。
【００３０】
次に、インドアケーブル１を用いたインドアケーブル敷設構造について説明する。図２は、インドアケーブル敷設構造２０を示す概念図である。図２に示す例では、壁１５と床１７の角部にインドアケーブル１を敷設した状態を示す。
【００３１】
略矩形のインドアケーブル１の角部を壁１５と床１７の角部に合わせて、インドアケーブル１を敷設すると、インドアケーブル１の対応する面が、壁１５と床１７に対して略垂直に配置される。この際、インドアケーブル１の表面に、壁１５および床１７が映りこむ。特に、居住者は、通常、壁１５と床１７の角部を斜め方向から見ることが多いため、居住者の目線において、インドアケーブル１の上面には、壁１５が映り込み、インドアケーブル１の側面に床１７が映りこむ。
【００３２】
このように、インドアケーブル１に、壁１５および床１７が映りこむことで、インドアケーブル１が、壁１５および床１７の模様や色と同化し、居住者から目立ちにくくなる。このため、室内の外観を損ねることなく、インドアケーブル１を敷設することができる。
【００３３】
一方、図３に示すように、従来のインドアケーブル１０を敷設したインドアケーブル敷設構造２０ａでは、インドアケーブル１の外被１１の色を淡い色としても、壁１５や床１７の色や模様に対して、インドアケーブル１の色が目立ち、室内の外観を損ねる恐れがある。
【００３４】
このように、本実施の形態によれば、インドアケーブル１を室内に敷設した際に、インドアケーブル１が目立たず、室内の外観を損ねることが無い。また、インドアケーブル１の敷設時には、インドアケーブル１を容易に視認することができ、透明な光ファイバ心線のみを取り扱う場合と比較して、作業性にも優れる。
【００３５】
なお、インドアケーブル敷設構造２０としては、壁１５と床１７の角部にインドアケーブル１を配置した例を示したが、本発明はこれに限られない。例えば、壁１５と天井との角部にインドアケーブル１を配設してもよく、壁１５同士の角部にインドアケーブル１を配設してもよい。
【００３６】
次に、第２の実施の形態について説明する。図４（ａ）は、インドアケーブル１ａを示す図である。なお、以下の説明において、インドアケーブル１等と同一の機能を奏する構成については、図１等と同一の符号を付し、重複する説明を省略する。
【００３７】
インドアケーブル１ａは、インドアケーブル１とほぼ同様の構成であるが、ノッチ９に代えて、スリット１９が形成される点で異なる。すなわち、外被１１の上下面（テンションメンバ７の併設方向とは垂直な方向の外周面）には、互いに対向する位置にスリット１９が形成される。上下のスリット１９から、ケーブル分割工具やニッパなどによって外被１１を破断させると、内部の光ファイバ心線３を、テンションメンバ７および外被１１から分離して取り出すことができる。
【００３８】
スリット１９は、ノッチ９に対して開口幅が狭い。具体的には、スリット１９の幅は、０．１ｍｍ以下であることが望ましい。前述した様に、インドアケーブル１ａの上下面には、壁や床などが映りこむため、できるだけ平坦であることが望ましい。したがって、ノッチ９などの凹凸形状が形成されると、ノッチ９においては、壁等とは異なる場所の映り込みがあり、部分的に目立つ恐れがある。
【００３９】
これに対し、スリット１９は幅が狭いため、そのような意図しない不可避的な映り込みを低減することができる。したがって、インドアケーブル１ａが、目立つことを抑制することができる。なお、スリット１９の内面には、必ずしも、反射膜５や保護膜１３は無くてもよい。
【００４０】
このように、第２の実施形態によっても、第１の実施形態と同様の効果を得ることができる。また、スリット１９の幅が狭いため、凹凸による壁等以外の映り込みを抑制することができる。
【００４１】
次に、第３の実施の形態について説明する。図４（ｂ）は、インドアケーブル１ｂを示す図である。インドアケーブル１ｂは、インドアケーブル１ａとほぼ同様の構成であるが、スリット１９に代えて、低強度部２１が形成される点で異なる。
【００４２】
すなわち、外被１１の上下面（テンションメンバ７の併設方向とは垂直な方向の外周面）から所定の深さまで、互いに対向する位置に低強度部２１が形成される。低強度部２１は、他の部位と比較して、強度が低い部位である。低強度部２１の外周面には、凹凸が形成されないことが望ましい。すなわち、インドアケーブル１ｂの外周面が平坦であることが望ましい。
【００４３】
低強度部２１としては、外被１１同士のシーム部を意図的に形成してもよく、または、周囲よりも強度の弱い他の樹脂などで構成してもよい。このようにすることで、外被１１を破断させる際に、低強度部２１が優先的に破断する。このため、上下から、ケーブル分割工具やニッパなどによって低強度部２１を容易に破断させることができ、内部の光ファイバ心線３を、テンションメンバ７および外被１１から分離して取り出すことができる。
【００４４】
第３の実施の形態によれば、第１の実施の形態と同様の効果を得ることができる。また、インドアケーブル１ｂの上下面が略平坦になるため、凹凸による壁等以外の映り込みを抑制することができる。
【００４５】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００４６】
１、１ａ、１ｂ、１０………インドアケーブル
３………光ファイバ心線
５………反射膜
７………テンションメンバ
９………ノッチ
１１………外被
１３………保護膜
１５………壁
１７………床
１９………スリット
２０、２０ａ………インドアケーブル敷設構造
２１………低強度部
【図１】
2016075783.tif 000003
【図２】
2016075783.tif 000004
【図３】
2016075783.tif 000005
【図４】
2016075783.tif 000006